(57)【要約】  構造用木質パネル組立体は、ビレットの長手方向縁部に沿って互いに当接する第１の組のビレットを含む第１の層を有する。各ビレットは、ビレット内で隣合うシート同士を接合する１つ以上の接合部を備え、接合部は、長手方向縁部に垂直に配向される。第１の層の各シートは、第１の方向に配向された木目を有する少なくとも１枚のプライを含む。第２の組のビレットを含む第２の層は、第１の層の上に重ねられる。第２の組の各ビレットは、第２の組のビレットの長手方向縁部に垂直に配向された１つ以上の別の接合部を備える。第２の層の別の接合部は、第１の層の接合部からオフセットされ、第２の層の各シートは、第２の方向に配向された木目を有する、少なくとも１枚のプライを含む。また、シートの第３の組のビレットを含む第３の層が、第２の層の上に重ねられてもよい。【選択図】  図１３
2019500232.tif 000002
【特許請求の範囲】
【請求項１】
第１の組のビレットを含む第１の層であって、前記第１の組のビレットがこれらのビレットの長手方向縁部に沿って互いに当接し、前記ビレットの各々が、該ビレット内で隣合うシート同士を接合する接合部を含み、前記接合部が、前記長手方向縁部に垂直に配向され、前記第１の層における前記シートの各々が複数の単板プライを含み、少なくとも１枚のプライが第１の方向に配向された木目を含む、第１の層と、
前記第１の層の上に重ねられた、複数のシートからなる第２の組のビレットを含む第２の層であって、前記第２の組のビレットの各々が、隣合う前記シート同士を接合する別の接合部を含み、前記別の接合部が、前記第２の組のビレットの長手方向縁部に垂直に配向され、前記第２の層における前記別の接合部が、前記第１の層の前記接合部からオフセットされ、前記第２の層における前記シートの各々が複数の単板プライを含み、少なくとも１枚のプライが、前記第１の方向に垂直な第２の方向に配向された木目を含む、第２の層と、
前記第２の層の上に重ねられた、複数のシートからなる第３の組のビレットを含む第３の層であって、前記シートが、複数の単板プライを含み、少なくとも１枚のプライが前記第１の方向に配向された木目を含み、前記第３の組のビレットの各々が、合う前記シート同士を接合する更に別の接合部を含み、前記第３の層における前記更に別の接合部が、前記第２の層における前記別の接合部と、前記第１の層における前記接合部との両方からオフセットされている、第３の層と
を備える、構造用木質パネル組立体。
【請求項２】
前記第１の組のビレットと、前記第２の組のビレットとが、前記木質パネル組立体の長さに沿って長手方向に配向され、前記第２の組のビレットが、前記木質パネル組立体の前記長さに対して横方向に配向されている、請求項１に記載の構造用木質パネル組立体。
【請求項３】
前記第２の層における前記別の接合部が、前記第１の層における前記接合部、および前記第３の層における前記更に別の接合部の両方から回転方向にオフセットされ、前記第３の層における前記更に別の接合部が、前記木質パネル組立体の前記長さに沿って、前記第１の層における前記接合部から長手方向にオフセットされている、請求項２に記載の構造用木質パネル組立体。
【請求項４】
前記第１の層における前記ビレットの各々が、該ビレット内の３枚以上の隣合うシート同士を接合する２つ以上の接合部を含み、前記第３の層における前記ビレットの各々もまた２つ以上の接合部を含み、前記第３の層における前記接合部が全て、前記第１の層における全ての前記接合部から長手方向にオフセットされている、請求項３に記載の構造用木質パネル組立体。
【請求項５】
前記第１の組のビレットと、前記第２の組のビレットと、前記第３の組のビレットとが全て前記木質パネル組立体の長さに沿って長手方向に配向されている、請求項１に記載の構造用木質パネル組立体。
【請求項６】
前記第１の層における前記ビレットの各々が、該ビレット内の３枚以上の隣合うシート同士を結接合する２つ以上の接合部を含み、前記第２の層における前記ビレットの各々が２つ以上の接合部を含み、前記第３の層における前記ビレットの各々もまた２つ以上の接合部を含み、前記第１の層、前記第２の層および前記第３の層の全ての前記接合部が互いに長手方向にオフセットされている、請求項５に記載の構造用木質パネル組立体。
【請求項７】
前記第１の組のビレットが、全幅シートからなる複数のビレットの列を備え、前記第２の組のビレットが、部分幅シートからなる少なくとも１つのビレットを備え、前記第２の組のビレットの長手方向縁部が、前記部分幅シートの幅に従って、前記第１の組のビレットの長手方向縁部から横方向にオフセットされている、請求項５に記載の構造用木質パネル組立体。
【請求項８】
前記部分幅シートの幅が前記全幅シートの約半分であり、前記第２の組のビレットが２枚の部分幅シートを含む、請求項７に記載の構造用木質パネル組立体。
【請求項９】
前記第１の層と、前記第２の層と、前記第３の層とが、同一の幅および同一の長さを有し、前記木質パネル組立体の厚さが、前記第１の層と、前記第２の層と、前記第３の層とを組み合わせた厚さを有する、前記木質パネル組立体の製造に使用される層の数に基づいている、請求項１に記載の構造用木質パネル組立体。
【請求項１０】
前記第２の層における前記シートの各々が、前記第１の方向および前記第２の方向の両方に垂直な前記第３の方向において、前記第２の層に直交配向された木目を備える、少なくとも１枚のプライを含む、請求項１に記載の構造用木質パネル組立体。
【請求項１１】
第１の接合部で互いに接合された２枚以上のシートを含む第１のビレットを形成するステップであって、前記第１のビレットにおける前記シートの各々は、少なくとも１枚のプライが第１の方向に配向された木目を含む複数の単板プライを含む、ステップと、
第２の接合部で互いに接合された２枚以上のシートを含む第２のビレットを形成するステップであって、前記第２のビレットにおける前記シートの各々は、少なくとも１枚のプライが第１の方向に配向された木目を含む複数の単板プライを含む、ステップと、
前記第２のビレットを前記第１のビレットの隣に、これらのビレットの各々の長手方向縁部に沿って配置して木質パネル組立体の第１の層を形成するステップであって、前記長手方向縁部が、前記第１の接合部および前記第２の接合部の両方に垂直であり、前記第１の接合部が、前記第１の層の形成後に、前記第２の接合部から長手方向にオフセットされる、ステップと、
第３の接合部で互いに接合された２枚以上のシートを含む第３のビレットを形成するステップであって、前記第３のビレットにおける前記シートの各々は、少なくとも１枚のプライが前記第１の方向に垂直な第２の方向に配向された木目を含む複数の単板プライを含む、ステップと、
第４の接合部で互いに接合された２枚以上のシートを含む第４のビレットを形成するステップであって、前記第４のビレットにおける前記シートの各々は、少なくとも１枚のプライが第２の方向に配向された木目を含む複数の単板プライを含む、ステップと、
前記第４のビレットを前記第３のビレットの隣に、これらのビレットの各々の長手方向縁部に沿って配置して木質パネル組立体の第２の層を形成するステップであって、前記第４の接合部が、前記第２の層の形成後に、前記第３の接合部から長手方向にオフセットされる、ステップと、
前記第２の層を接着剤で前記第１の層に接着するステップと
を含む、木質パネル組立体を製造する方法。
【請求項１２】
第５の接合部で互いに接合された２枚以上のシートを含む第５のビレットを形成するステップであって、前記第５のビレットにおける前記シートの各々は、少なくとも１枚のプライが第１の方向に配向された木目を含む複数の単板プライを含む、ステップと、
第６の接合部で互いに接合された２枚以上のシートを含む第６のビレットを形成するステップであって、前記第６のビレットにおける前記シートの各々は、少なくとも１枚のプライが第１の方向に配向された木目を含む複数の単板プライを含む、ステップと、
前記第６のビレットを前記第５のビレットの隣に、これらのビレットの各々の長手方向縁部に沿って配置して木質パネル組立体の第３の層を形成するステップであって、前記第６の接合部が、前記第３の層の形成後に、前記第５の接合部から長手方向にオフセットされる、ステップと、
前記第３の層を接着剤で前記第２の層に接着するステップと
を更に含む、請求項１１に記載の方法。
【請求項１３】
前記第３の接合部と、前記第４の接合部とが、前記第１の接合部、前記第２の接合部、前記第５の接合部および前記第６の接合部のそれぞれから回転方向にオフセットされ、前記第３のビレットおよび前記第４のビレットの前記長手方向縁部が、前記第１のビレットおよび前記第２のビレットの前記長手方向縁部に垂直である、請求項１２に記載の方法。
【請求項１４】
前記第１のビレット、前記第２のビレット、前記第５のビレットおよび前記第６のビレットが全て前記木質パネル組立体の長さに沿って長手方向に配向され、前記第３のビレットおよび前記第４のビレットが、前記木質パネル組立体の長さに対して横方向に配向され、前記第３の層の他の接合部が、前記木質パネル組立体の長さに沿って、前記第１の層の前記接合部から長手方向にオフセットされる、請求項１３に記載の方法。
【請求項１５】
前記第５の接合部および前記第６の接合部が、前記第１の接合部、前記第２の接合部、前記第３の接合部および前記第４の接合部のそれぞれから、更に長手方向にオフセットされる、請求項１２に記載の方法。
【請求項１６】
前記第１のビレット、前記第２のビレット、前記第３のビレット、前記第４のビレット、前記第５のビレットおよび前記第６のビレットが全て、前記木質パネル組立体の長さに沿って長手方向に配向され、前記第３のビレットおよび前記第４のビレットの前記長手方向縁部が、前記第１のビレットおよび前記第２のビレットの前記長手方向縁部と平行である、請求項１５に記載の方法。
【請求項１７】
前記第１の層における前記ビレットの各々が、３枚以上の隣合うシート同士を接合する２つ以上の接合部を含み、前記第２の層における前記ビレットの各々が、２つ以上の接合部を含み、前記第３の層における前記ビレットの各々もまた、２つ以上の接合部を含み、前記第１の層、前記第２の層および前記第３の層の全ての前記接合部が互いに長手方向にオフセットされる、請求項１５に記載の方法。
【請求項１８】
前記第１の層の少なくとも１枚の前記ビレットが、全幅シートからなり、前記第２の層の少なくとも１枚の前記ビレットが、部分幅シートからなり、前記第３のビレットおよび前記第４のビレットの前記長手方向縁部が、前記部分幅シートの幅に従って、前記第１のビレットおよび前記第２のビレットの長手方向縁部から横方向にオフセットされる、請求項１５に記載の方法。
【請求項１９】
前記部分幅シートの前記幅が、全幅シートの約半分である、請求項１８に記載の方法。
【請求項２０】
前記第１の層と、前記第２の層とが、同一の幅および同一の長さを有し、前記第１の層および前記第２の層に別の層を加えることによって、前記木質パネル組立体の厚さが増加する、請求項１１に記載の方法。
【発明の詳細な説明】
【関連事項】
【０００１】
本出願は、２０１５年１０月２１日に出願された米国仮特許出願第６２／２４４，６５０号、および２０１６年１月２８日に出願された米国仮特許出願第６２／２８８，３２５号の両方の優先権を主張し、その内容は、参照することによってその全体が本願に組み込まれる。
【技術分野】
【０００２】
本発明は、積層合板、単板積層材、単板、その他の種類の積層木質製品を含む構造用木質パネル組立体を製造する方法に関する。
【背景技術】
【０００３】
例えば、２×４インチ材、２×６インチ材、その他の断面の木材を指す場合がある積層木材製品は、例えば、建物の金属梁の代替として、特定の種類の建設用途用の構造用梁を形成するために、互いに付着される場合がある。単一の大きい木材に比べて強度は向上するものの、構造用梁の製造に使用される木材は、特に、高さが数階、または１０階以上にもなる場合がある建物などの大規模な工事における金属梁の代替としてのその性能、および可能性に影響を及ぼす相応の重さを有する。
【０００４】
木材が相対的に厚くなる結果、木材を製造公差の範囲内で均一かつ完全に乾燥させるのに、比較的長い時間と手間がかかる場合がある。また、木材における木は、自然に見られる木の原形に戻る、または原形を取り戻そうとする傾向があり、結果としてできた製品に、反り、歪み、および／またはねじれなどの特徴が潜在的に生じる。節などの木の欠点は、実質的に木材組立体を弱くする可能性があるが、節を除去するには完成品を更に切断および接合しなければならない場合がある。
【０００５】
積層材から製造される木質製品は、各層の最小厚さが比較的大きい（一般に厚さ１と１／２インチ）結果として、通常は３プライ、５プライ、または７プライなどの奇数層に限られる。木質製品の厚さを変更する性能が制限されることにより、設計および構成において、建物の設計全体に同様の制限が必要になる。また、木材製品は、１平方インチ当たり約１００ポンドの最大印加圧力に耐えるように等級付けされる場合があり、これはある種の用途では、限度を超過する場合がある。
【０００６】
本出願は、これらの問題および他の問題に対処するものである。
【発明の概要】
【０００７】
本書では、構造用木質パネル組立体が開示される。この組立体は、第１の組のビレットを含む第１の層を有してもよく、これらのビレットはその長手方向縁部に沿って互いに当接する。各ビレットは、該ビレット内で隣合うシート同士を接合する接合部を備えてもよく、接合部は、長手方向縁部に垂直に配向されてもよい。第１の層における各シートは、複数の単板プライを含んでもよく、少なくとも１枚のプライは、第１の方向に配向された木目を有する。
【０００８】
組立体の第２の層は、第１の層の上に重ねられた、複数のシートからなる第２の組のビレットを含んでもよい。第２の組の各ビレットは、隣合うシート同士を接合する別の接合部を備えてもよく、別の接合部は、第２の組のビレットの長手方向縁部に垂直に配向されてもよい。第２の層の別の接合部は、第１の層の接合部からオフセットされても（ずらされても）よく、第２の層の各シートは、複数の単板プライを含んでもよく、少なくとも１枚のプライは、第１の方向に垂直な、第２の方向に配向された木目を有する。
【０００９】
また、組立体の第３の層は、第２の層の上に重ねられた、複数のシートからなる第３の組のビレットを含んでもよい。第３の組のビレットは、複数の単板プライを含んでもよく、少なくとも１枚のプライは、第１の方向に配向された木目を有し、第３の組の各ビレットは、隣合うシート同士を接合する更に別の接合部を備えてもよい。第３の層の更に別の接合部は、第２の層の別の接合部、および第１の層の接合部の両方からオフセットされてもよい。
【００１０】
本書では、木質パネル組立体を製造する方法も開示されている。本方法は、第１の接合部で互いに接合された２枚以上のシートを含む第１のビレットを形成するステップを含み得る。第１のビレットの各シートは、複数の単板プライを含んでもよく、少なくとも１枚のプライは、第１の方向に配向された木目を有する。また、第２の接合部で互いに接合された２枚以上のシートを含む第２のビレットが形成されてもよい。第２のビレットの各シートは、複数の単板プライを含んでもよく、少なくとも１枚のプライは、第１の方向に配向された木目を有する。第２のビレットは、木質パネル組立体の第１の層を形成するように、各ビレットの長手方向縁部に沿って、第１のビレットの隣に配置されてもよく、長手方向縁部は、第１の接合部および第２の接合部の両方に垂直であってもよい。また、第１の接合部は、第１の層を形成した後に、第２の接合部から長手方向にオフセットされてもよい。
【００１１】
本方法は、第３の接合部で互いに接合された２枚以上のシートを含む、第３のビレットを形成するステップを含み得る。第３のビレットの各シートは、複数の単板プライを含んでもよく、少なくとも１枚のプライは、第１の方向に垂直な、第２の方向に配向された木目を有する。また、第４の接合部で互いに接合された２枚以上のシートを含む、第４のビレットが形成されてもよい。第４のビレットの各シートは、複数の単板プライを含んでもよく、少なくとも１枚のプライは、第２の方向に配向された木目を有する。
【００１２】
第４のビレットは、木質パネル組立体の第２の層を形成するように、各ビレットの長手方向縁部に沿って、第３のビレットの隣に配置されてもよく、第４の接合部は、第２の層を形成した後に、第３の接合部から長手方向にオフセットされてもよい。第２の層は、接着剤で第１の層に接着されてもよい。いくつかの例において、別のビレットを含む第３の層が、第２の層の上に重ねられてもよい。
【図面の簡単な説明】
【００１３】
【図１】多層合板組立体を製造する例示的なプロセスを示す図である。
【図２】垂直配向で配向した木目を有する多層合板組立体を製造する例示的なプロセスを示す図である。
【図３】図２の多層合板組立体を切断した部分を含む、木目が垂直に配向された多層合板組立体を製造する例示的なプロセスを示す図である。
【図４】図１の合板組立体と、図３の、木目が垂直に配向された合板組立体との交互層を含む多層合板組立体を製造する例示的なプロセスを示す図である。
【図５Ａ】第１の接合構成を有する第１の例示的なパネルレイアウトを示す図である。
【図５Ｂ】第２の接合構成を有する第２の例示的なパネルレイアウトを示す図である。
【図６】６つの交互配置を含む完成したパネル構造の端面図を示す図である。
【図７】第１の層を含む例示的なパネル組立体を示す図である。
【図８】図７の例示的なパネル組立体の第２の層を示す図である。
【図９】図７の例示的なパネル組立体の第３の層を示す図である。
【図１０】図７の例示的なパネル組立体の第４の層を示す図である。
【図１１】図７の例示的なパネル組立体の第５の層を示す図である。
【図１２】図７の例示的なパネル組立体の第６の層を示す図である。
【図１３】第１の層を含む別の例示的なパネル組立体を示す図である。
【図１４】図１３の例示的なパネル組立体の第２の層を示す図である。
【図１５】図１３の例示的なパネル組立体の第３の層を示す図である。
【図１６】図１３の例示的なパネル組立体の第４の層を示す図である。
【図１７】図１３の例示的なパネル組立体の第５の層を示す図である。
【図１８】図１３の例示的なパネル組立体の第６の層を示す図である。
【図１９】長手方向の配向で配置された、複数のシートまたはビレットからなる例示的な列を示す斜視図である。
【図２０】横方向の配向または横向きで配置された、複数のシートまたは横方向ビレットからなる例示的な横方向の列を示す斜視図である。
【図２１】クロスパネル構造で構成された、図１９および図２０の複数のシートからなる列を含む例示的なパネル組立体を示す斜視図である。
【図２２】図２１の例示的なパネル組立体を示す上面図である。
【図２３】全幅シートまたはビレットからなる例示的な第１の列を示す斜視図である。
【図２４】部分幅シートまたはビレットからなる例示的な第２の列を示す斜視図である。
【図２５】図２３および図２４のシートからなる列を含む、平行パネル構造で構成された例示的なパネル組立体を示す斜視図である。
【図２６】図２５の例示的なパネル組立体を示す上面図である。
【図２７】２層のビレットを含む例示的なジョイスト組立体を示す斜視図である。
【図２８】２層のビレットを含む例示的なリムボード組立体を示す斜視図である。
【図２９】構造接合部を備える積層木質製品を製造する例示的なプロセスを示す図である。
【図３０】パネル組立体を製造する例示的なプロセスを示す図である。
【発明を実施するための形態】
【００１４】
合板は、樹木から剥離された複数層の単板で作ることができ、その結果、合板の各層には元の木目が保持される。木目は、略直線方向であり、いくつかの種類の合板では、合板の隣合う層の木目は、垂直に配向されてもよい。
【００１５】
単板積層材（ＬＶＬ）も同様に、互いに接着された複数層の単板からなるものとしてもよいが、隣合う層同士を垂直に配向するのではなく、単板の全ての層が、木目が互いに揃うように、例えば、単板シートの長手方向に沿って配向されてもよい。木目を共通の配列で配向することにより、木目の長さに沿ったシートの強度を高め、かつ／または支持を強めることができるが、例えば合板に比べて、木目に対して横方向の支持が弱くなる場合がある。
【００１６】
直交集成板（Ｃｒｏｓｓ  Ｌａｍｉｎａｔｅｄ  Ｔｉｍｂｅｒ、ＣＬＴ）パネルは、パネルに横方向および長手方向の両方の支持を与えるように配向された、木材の交互層からなるものとしてもよい。ＣＬＴは、場合によっては最大１５階の高さの、多層階木造建築の建設に使用されてもよい。ＣＬＴは主として、技術品質の建造物を製造するための基本的な商品生産物として、木材を使用することに依存する。本書で説明するいくつかの製品および製造方法は、ＣＬＴに対する競合製品を開示するものと理解されてもよい。しかしながら、本書で開示する例示的な加工木質構造物は、木材を使用するのではなく、ＣＬＴと同等の構造健全性を有しながら、軽量かつ／または材料の少ないパネルの製造において、積層合板、または構造用複合材パネルを含むものとすることができる。
【００１７】
図１は、木目配向を交互にして配置した、合板の６つの層、すなわちプライを含む多層合板組立体１５０を製造する、例示的な工程１００を示す。例えば、略垂直な木目の配向を有する３枚の「奇数の」プライ１０、３０、５０は、略水平な木目の配向を有する、３枚の「偶数の」プライ２０、４０、６０と交互配置されてもよい。プライは、互いに接着されて、合板組立体１５０を形成し得る。例えば、隣合うプライ同士の接触面は、接着剤または樹脂で被覆され、互いに圧縮されて、乾燥されてもよい。
【００１８】
任意の１枚のプライの木目は、略直線方向に配向されてもよい。また、第２のプライ２０などの任意の１枚のプライの木目は、第１のプライ１０、および第３のプライ３０などの隣合うプライの木目の配向に対して、略垂直に配向されてもよい。
【００１９】
いくつかの例において、第１のプライ１０などの上側のプライに関連付けられた木目は、第６のプライ６０などの下側のプライに対して、略垂直であってもよい。他の例示的な合板組立体では、例えば、第１のプライ１０と、プライ層５０とを含む、５プライの合板を含む合板組立体におけるように、上側のプライと、下側のプライとの木目は、略平行であってもよい。
【００２０】
図２は、略垂直配向で配向した木目を有する多層合板組立体２５０を製造する、例示的な工程２００を示す。合板組立体２５０は、合板の複数の層、すなわちプライを含んでもよく、いくつかの例では、６枚のプライ２０１、２０２、２０３、２０４、２０５、２０６を含んでもよい。６枚のプライは、互いに接着されて、合板組立体１５０を形成し得る。
【００２１】
図３は、図２の多層合板組立体２５０を切断した部分を含む、木目が垂直に配向された多層合板組立体３５０を製造する例示的な工程３００を示す。例えば、合板組立体２５０は、木目と交差するような切断２５５が行われて、第１の木材ピース３１０、第２の木材ピース３２０、および第３の木材ピース３３０などの短い木材ピースを形成してもよい。木材ピースは、幅、高さ、長さ、および木目の配向が、互いに略同一にされてもよい。
【００２２】
工程３００には、木材ピースを互いに接着および／または圧縮することが含まれてもよく、その結果、第１のプライ２０１（図２）に対応する第１の木材ピース３１０の側面は、第６のプライ２０６（図２）に対応する第２の木材ピース３１０の第１の側面に接着されてもよく、同様に、第１のプライ２０１に対応する第２の木材ピース３２０の第２の側面は、プライ層２０６に対応する第３の木材ピース３３０の側面に接着されてもよい。合板の６枚のシートが３枚の短い木材ピースに切断される工程において、例示的な合板組立体３５０は、木目を全て略垂直方向に配向して互いに積み重ねられた１８枚の合板の短い木材ピースを含み得る。
【００２３】
いくつかの例において、製造工程は、組立体３５０と同様に、互いに積み重ね得る短い木材ピースを形成するために、合板組立体２５０を切断するのではなく、図１の合板組立体１５０を切断するステップを含んでもよい。垂直配向で互いに接着された短い木材ピースの各層は、隣合う層と比較して、交互の、または垂直な木目のパターンを有していてもよい。
【００２４】
図４は、図１の合板組立体１５０と、図３の合板組立体３５０との交互層を含む多層合板組立体４５０を製造する例示的な工程４００を示す。図１の合板組立体１５０は、図３の合板組立体３５０と交互にされてもよく、その結果できた直交集成合板製品４５０は、木目が「Ｘ」、「Ｙ」、および「Ｚ」の３つの直交方向に配向された合板の層を含む。例えば、組立体１５０の合板の交互層は、「Ｘ」および「Ｙ」方向の木目を有し、組立体３５０の合板の層は、「Ｚ」方向の木目を有し得る。
【００２５】
組立体３５０の合板の各プライは、隣合うプライに関連付けられた木目に対して、垂直に配向された木目を有してもよく、木目は、直交する３方向のうちの１方向同士で交互になる。直交する３方向の木目を有することによって、合板組立体３５０は、ほとんどあらゆる方向の曲げモーメント、例えば、「Ｘ」、「Ｙ」、および「Ｚ」軸のうちの１つ、または３つ全ての軸線の周囲にかかるモーメントに対して、抵抗するように更に構成することができる。
【００２６】
図４に示す木質組立体を１つ以上含む予め加工された単板および／または合板パネルで、例えば、幅１２フィート、長さ４０フィート以上の大型フォーマットパネルが構成され得る。パネルは、最終用途に基づいて、所望の厚さ、または耐荷重要件で構築され得る。
【００２７】
図５Ａは、第１の接合状態を有する第１の例示的なパネル配置構成５００を示す。第１のパネル配置構成５００は、３つのパネル列、すなわち３つのビレットを含むものとして示されている。パネルの１つの列は、幅が他の２つのパネル列の約半分である第１のシート５１０を含んでもよい。例えば、第１のシート５１０は、幅２フィート、長さ８フィートの合板または単板のシートを含んでもよい。他の２つのパネル列は、幅４フィート、長さ８フィートの、第２のシート５２０と第３のシート５３０とを含んでもよい。したがって、パネル配置構成５００は、単に説明するための例として、幅約１０フィート、長さ２４フィートであるのがよい。
【００２８】
パネルの各列は、２つの長手方向縁部を有してもよく、これは、パネル配置構成５００の全長に沿って延びていてもよい。第１のシート５１０を含むパネルの列は、パネル縁部５２５に関連付けられてもよい。同様に、第２のシート５２０を含むパネルの第２の列は、パネル配置構成５００において、パネル縁部５２５と当接するパネル縁部を有してもよい。パネル縁部５２５は、内部パネル縁部と考えられてもよく、パネル縁部５２５は、パネル配置構成５００の内部に配置されてもよい。
【００２９】
図５Ｂは、第２の接合状態を有する第２の例示的なパネル配置構成５５０を示す。第２のパネル配置構成５５０は、３つのパネル列、すなわち３つのビレットを含むものとして示されている。パネルの１つの列は、幅が他の２つのパネル列の約半分である第１のシート５６０を含んでもよい。例えば、第１のシート５６０は、幅２フィート、長さ８フィートの合板または単板のシートを含んでもよい。他の２つのパネル列は、幅４フィート、長さ８フィートの第２のシート５７０と第３のシート５８０とを含んでもよい。したがって、パネル配置構成５５０は、単に説明するための例として、幅約１０フィート、長さ２４フィートとすることができる。いくつかの例において、パネル配置構成５５０は、図５Ａのパネル配置構成５００と同じ全体寸法を有してもよい。第１のパネル５６０を含むパネルの列は、内部パネル縁部５７５に関連付けられてもよい。
【００３０】
１種類以上のパネルの製造は、４０フィート（以上）の原材料を作成および／または使用することで容易になり得る。パネルまたはマットのそれぞれが、幅２フィート、長さ４０フィートの１枚のパネルと、幅４フィート、長さ４８フィートの２枚のパネルとで構成され、これらが並べて配置されて幅１０フィートのパネルを生成するように、パネルまたはマットが配向されてもよい。４０フィート以上の長さにするために、スカーフ継ぎ、フィンガ継ぎ、または構造的に同等に接合されたパネルが使用されてもよい。幅１２フィートのパネルについては、幅４フィートの３枚のパネルが並べて配置されてもよい。
【００３１】
図６は、６つの交互になったパネル配置を含む、完成したパネル組立体６００の端面図を示す。多層パネル組立体６００の各層は、パネル配置構成５００、またはパネル配置構成５５０などの、２フィートの木材ピースが配置される側を交互にしてもよい。例えば、組立体６００の第１の層は、第１のシート５１０を有するパネル配置構成５００を含んでもよく、組立体６００の第２の層は、第３のシート５８０を有するパネル配置構成５５０を含んでもよい。第１のパネル５１０は、幅が、隣接する層に配置された第３のパネル５８０の約半分であってもよい。
【００３２】
パネル縁部５２５は、パネル配置構成５５０にある隣接する層の、第３のシート５８０のおよそ中間点に配置されてもよい。同様に、パネル配置構成５５０の１枚または複数のパネルに関連付けられたパネル縁部５７５は、パネル配置構成５００にある隣接する層の、シート５３０のおよそ中間点に配置されてもよい。パネル縁部５９５などの他の内部パネル縁部もまた、第１の層のシート５２０、および第３の層のシート５９０などの、組立体６００の隣合う層に配置されたパネルの、およそ中間点に配置されてもよい。このような態様において、パネル間の各内部パネル縁部ないしは接合部は、組立体６００の隣合う層の、１枚以上のパネルにかかっていてもよい。一連のパネル配置構成５００、５５０の交互配置が、所望のパネル組立体厚さに達するまで繰り返されてもよい。
【００３３】
いくつかの例において、大型フォーマット木質パネルは主な原材料として、木質繊維の配向にかかわらず、単板で製造されてもよい。層の１つは、パネル構成内に配置された、１と１／８インチの厚さの複数の単板プライからなっていてもよく、それに続く各プライは、互いに垂直に配向されてもよい。この層は、１つ以上の追加の単板の層に囲まれていてもよく、単板プライの主な木目の方向は、全て略平行な方向に配向されてもよい。縦目と交差木目との割合は、特定の用途の長手方向および横方向の構造負荷に依存してもよい。同様に、特定用途に必要とされる構造負荷が、平行な単板層に対する、垂直に配向された単板層の数を決定するために使用されてもよい。１つ以上の垂直に配向された層を、１つ以上の平行に配向された層と結合する工程は、任意の１つの例示的なパネル組立体が、所望のパネル厚さに達するまで繰り返されてもよい。いくつかの例示的なパネル組立体において、厚い合板パネルが最初にレイアップ（ｌａｙ  ｕｐ）されてもよく、次により少ない冷間プレス層が追加されて、大型フォーマットが作成されてもよい。
【００３４】
別の例示的なレイアップでは、上側および下側のシート用に、１と１／８インチの平行単板パネル（長手方向に同じ配向にした単板で構築されたパネル）が使用され、中央シート用に、３１／３２インチのパネルが使用されてもよい。他の例において、合板の代わりに、縦挽きして縁部を接着したパネル（すなわち、木目が垂直）が使用されてもよい。また、パネルは、ＬＶＬおよび／または積層されたシートを含んでもよい。
【００３５】
図６に示す例示的なパネル組立体６００において、個々のシート（合板、ＬＶＬ、単板など）は全て、パネル配置構成全体に対して、パネル組立体６００の長手方向に略配向されてもよい。例えば、シートが２×８フィート、または４×８フィートのいずれかであると仮定して、長さ８フィートのシートは全て、パネル組立体６００の長さに合わせることができる。他の例において、個々のシートの長さは、パネルの長さおよび幅と交互に合わせられてもよい。
【００３６】
また、シートの隣合う列、ビレット、および／または段の構造接合部を互い違いにして、所与の配置の任意の２つの接合部が、意図的にずらされてもよい。更に、パネル組立体を形成するように互いに積層された、上側、および下側の配置のいくつか、または全ての間で、接合部が意図的にずらされてもよい。
【００３７】
パネル組立体６００の１層以上の層は、図１に示す合板組立体１５０の交差木目構成を有するパネルを含んでもよい。また、１層以上の層が、合板組立体２５０（図２）、および／または合板組立体３５０（図３）と同様に構成されたパネルを含んでもよい。
【００３８】
いくつかの例において、パネル組立体は、建物の床または屋根として使用されてもよく、パネル組立体の最終用途は、水平になると考えられる。パネル組立体は、壁または垂直用途用に使用されるパネルとは異なるフォーマットで製造されてもよい。単板の木目配向は、木目をスパン方向と一致させれば、更に構造健全性をもたらすように構成され得る。床は、ＬＶＬパネル組立体、または平行単板積層材（Ｐａｒａｌｌｅｌ  Ｌａｍｉｎａｔｅｄ  Ｖｅｎｅｅｒ  Ｌｕｍｂｅｒ、ＰＬＶＬ）パネル組立体で製造されてもよい。ＬＶＬは、選択密度単板が全て縦目で、または平行な配向で提供され得る単板層を含んでもよいので、ＬＶＬパネル組立体は、ＰＬＶＬパネル組立体とは区別され得る。いくつかの例において、パネル組立体は、１つ以上の垂直な単板層に加えて、多数の縦目の単板を含んでもよい。パネル組立体の各層は、特定の密度勾配で作られてもよく、かつ／または特定の密度勾配に関連付けられてもよい。
【００３９】
全ての単板が縦目の４フィート×８フィートのＰＬＶＬパネルは、ＬＶＴレイアップの一番上のパネル、すなわち圧縮板、ならびに一番下のパネル、すなわち張板の上に配置されてもよい。いくつかの例において、交差方向木目パネルなどの標準的な合板パネルは、更に横方向の安定性を与えるために、３層ＬＶＴパネルの中央パネルとして使用されてもよい。パネル構造の一部、特に、パネルの上弦材および下弦材に平行に配向された単板を使用すると、潜在的な定格荷重、およびスパン性能の向上を実現することができる。パネルを同じ方向に配向することにより、より多くの縦目単板をスパン方向にすることが可能になる。
【００４０】
合板パネルは、各パネル組立体内で単板を交差方向にレイアップすることによって、更にせん断強度をもたらすように構成できるが、合板を含めることで、壁パネル組立体にも更に利点を提供し得る。壁用途のパネル組立体は、１と１／８インチの９プライ合板で作られた、標準的な交差方向合板レイアップを含んでもよい。パネルプライの数は、用途の構造要件に応じて変更してもよいが、いくつかの例では、用途に応じて、合計約３インチ（例えば、３．１２５インチ）以上の厚さを形成するように組み合わされてもよい。同様に、ビレットの厚さは、構造用途、およびプレス穴開けの機械的制限に応じて変更してもよい。壁パネル用途では、パネル組立体に対し、棚付けまたは多方向からの力のために、垂直方向から、またはパネルの縁部から、そしてパネル全体に、より多くの応力がかかりやすく、その結果、スパンおよび木目の方向は、それほど重要ではない。
【００４１】
図７は、第１のパネル配置構成７１０、および第２のパネル配置構成７２０から交互に選択したパネルを含む例示的なパネル組立体７００を示す。第１のパネル配置構成７１０は、完全シート（ｗｈｏｌｅ  ｓｈｅｅｔ）（例えば、幅４フィートのシート）の３つの列またはビレットを含んでもよいのに対し、第２のパネル配置構成７２０は、２枚の完全シートと、２枚の部分シートまたは半シート（例えば、幅２フィートのシート）とを含んでもよい。説明するための例として、パネル配置構成７１０、７２０のそれぞれの積み重ねは、３層のシートを含んでもよく、その結果、完成したパネル組立体７００は、互いに積層された合計６層のシートを含む。
【００４２】
長手方向に位置合わせされたパネル配置構成の２つの積み重ねは、接合部をずらしたパネルを構築するように、互いの上に交互に配置されてもよい。大きいビレットの構造接合部をずらして（オフセットして）、接合部の潜在的な弱点を除去することによって、パネル全体の構造強度が向上する。
【００４３】
構造接合部の構築を開始するために、第１のパネルはほぞ取り機を通るが、この段階では、第１のパネルに接合されるものはない。シートを長方形にするために、シートの最初の１インチまたは２インチを切り落としてから、連続的なビレットへと進んでもよい。シートごとに、約１インチが各端部から取り除かれてもよく、したがって接合部は、ほぞ継ぎを受けるパネルごとに（接合されると）１インチ分オフセットされる。他の例では、８：１の比率のパネル厚さにより、１つ以上の端部を取り除くことなく、後続の各パネルからのオフセットが自動的に生成され得る。フルマットに構築されると、構造接合部は、これを囲むシートからオフセットされ得る。
【００４４】
第１のパネル配置構成７１０から選択された、シートの第１の層７０１は、第１のパネル列７１１を含む３列のシートを含んでもよい。第１のパネル列７１１は、接合部７１５に関連付けられたフルサイズのシート７１８を含んでもよい。第２のパネル配置構成７２０から選択された第１のパネル列７２１は、第１の層７０１の上に配置される工程にあるものとして示されている。第１のパネル列７２１は、複数のハーフサイズのシート、または部分シートを含んでもよい。また、第２のパネル配置構成７２０は、フルサイズのシートを有する、第２のパネル列７２２を含んでもよい。
【００４５】
パネルの弱点は、サイズが異なる（例えば、４フィートと２フィート）縦挽きされたパネル同士の間にある縁部に当接する接合部に存在しがちな場合がある。パネルは、レイアップをれんがの様式で互い違いにすることによって補強され得る。パネルの構造接合部の弱点は、その上、または下にあるオフセットパネルによって補強され得る。
【００４６】
図８は、第１のパネル列７２１と、第２のパネル列７２２とを含む例示的なパネル組立体７００の第２の層７０２を示す。シートの第２の層７０２は、第２のパネル配置構成７２０から選択され得る。第１のパネル列７２１は、第１の層７０１の第１のパネル列７１１（図７）の上に重ねられた複数の部分シートを含んでもよく、その結果、第２の層７０２の第１のパネル列７２１のパネル縁部７２５は、第１の層７０１の第１のパネル列７１１の長手方向中央線と位置が合い、かつ／またはフルサイズのシート７１８を２等分する。
【００４７】
第１のパネル列７２１は、接合部７３５に関連付けられたハーフサイズのシート７２８を含んでもよい。接合部７３５は、シート７２８と、第２の層７０２の角に配置された部分シートとの間の接合部を含んでもよい。第２の層７０２の接合部７３５は、第１の層７０１の接合部７１５に対して互い違いにされる、またはオフセットされてもよく、その結果、接合部７１５は第２の層７０２のシート７２８の真下に位置し、接合部７３５は第１の層７０１のシート７１８の真上に位置する。また、第２のパネル列７２２は、接合部７３５および接合部７１５から長手方向および横方向の両方にオフセットされた第２の接合部７４５を備えてもよい。
【００４８】
図９は、第１のパネル配置構成７１０から選択された例示的なパネル組立体７００の第３の層７０３を示す。シートの第３の層７０３は、３列のフルサイズ（例えば、全幅）のシートを含んでもよい。第２のパネル配置構成７２０から選択された、第１のパネル列７４１は、第４の層を追加することを見越して、第３の層７０３の上に配置される工程にあるものとして示されている。
【００４９】
図１０は、第２のパネル配置構成７２０から選択された例示的なパネル組立体７００の第４の層７０４を示す。シートの第４の層７０４は、２列の全幅シートと、２列の部分シートまたは半幅シートとを含んでもよい。
【００５０】
図１１は、第１のパネル配置構成７１０（図１０）から選択された、例示的なパネル組立体７００の第５の層７０５を示す。シートの第５の層７０５は、３列のフルサイズ（例えば、全幅）のシートを含んでもよい。第２のパネル配置構成７２０から選択された、第１のパネル列７６１は、第６の層を追加することを見越して、第５の層７０５の上に配置される工程にあるものとして示されている。
【００５１】
図１２は、第２のパネル配置構成７２０（図１１）から選択された第６の層、およびいくつかの例では最後の層となる、パネル列７６１を含む、パネル組立体７００の層７０６を示す。シートの第６の層７０６は、２列の全幅シートと、２列の部分シートまたは半幅シートとを含んでもよく、第１のパネル列７６１と、第２のパネル列７６２とを含む。第６の列７０６は、全て横方向および／または長手方向に互いにオフセットされた複数の接合部を備えてもよい。例えば、第１の接合部７６５は、第２の接合部から、横方向および／または長手方向の両方にオフセットされてもよい。
【００５２】
いくつかの例示的なパネル組立体において、パネル組立体７００の任意の１つの接合部は、パネル組立体の他の全ての接合部から長手方向にオフセットされてもよい。他の例示的なパネル組立体において、接合部７６５などの、層のうちの１つの第１の列にある任意の１つの接合部は、パネル組立体の隣合う層、例えば第５の層７０５などの、対応する第１の列にある他の全ての接合部から、長手方向にオフセットされてもよい。更に別の例示的なパネル組立体において、接合部７６５などの任意の１つの接合部は、全ての層、例えば第１の層〜第５の層の、対応する第１の列にある他の全ての接合部から、長手方向にオフセットされてもよい。
【００５３】
例示的なパネル組立体のいくつかが、１枚以上の半シートを含むものとして説明されたが、その場合、パネルの任意の１列の内縁は、完全シートの半分の幅だけ横方向間隔が異なるものと理解されてもよく、他の例では、完全シートの半分の幅よりも小さい、または大きい幅を有する部分シートが使用されてもよく、その結果、同じパネル列に対応する縁部が、隣合うシート同士のパネルの縁部と位置が合わず、あるいはいくつかの例では、パネル組立体の全てのシートにおいて、パネルの縁部と位置が合わない。大きいビレットにおいて、いくつかの、または略全ての接合部および／または内部パネル縁部をオフセットすることにより、パネル組立体７００全体の潜在的な構造的弱点を削減、または排除するのに役立てることができる。
【００５４】
図１３は、第１のパネル配置構成８１０、および第２のパネル配置構成８２０から交互に選択したパネルを含む、別の例示的なパネル組立体８００を示す。第１のパネル配置構成８１０は、パネル組立体８００に対して長手方向に配置された３列のシートまたはビレットを含んでもよく、それに対して第２のパネル配置構成８２０は、パネル組立体８００に対して横方向に配置された６つの列のシートを含んでもよい。説明するための例として、パネル配置構成８１０、８２０のそれぞれの積み重ねは、３層のシートを含んでもよく、その結果、完成したパネル組立体８００は、互いに積層された合計６層のシートを含んでもよい。
【００５５】
いくつかの例において、長手方向、および横方向に位置合わせされたパネル配置の２つの積み重ねは、接合部をずらしたパネル組立体８００を構築するように、互いの上に交互に配置されてもよい。例えば、第１のパネル配置構成８１０から選択されたシートの第１の層８０１は、第１のパネル列８１１、および第２のパネル列８１２を含む３列のシートを含んでもよい。第１のパネル列８１１は、接合部８３５に関連付けられたシート８１８を含んでもよい。また、パネル縁部８１５は、第１のパネル列８１１が、第２のパネル列８１２に当接する、かつ／または互いに接合される箇所に配置されてもよい。第２のパネル配置構成８２０から選択された、横方向パネル列８２１は、第１の層８０１の上に配置される工程にあるものとして示されている。
【００５６】
図１４は、横方向パネル列８２１と、第２の横方向パネル列８２２とを含む例示的なパネル組立体８００の第２の層８０２を示す。シートの第２の層８０２は、第２のパネル配置構成８２０から選択され得る。横方向パネル列８２１は、第１のパネル列８１１に垂直な配向で、第１の層８０１（図１３）の上に重ねられた複数のシート、および／または部分シートを含んでもよく、その結果、横方向パネル列８２１のパネル縁部８２５は、第１のパネル列８１１のパネル縁部８１５に垂直に配向される。
【００５７】
横方向パネル列８２１は、完全シートが部分シートに当接する、かつ／または接合する箇所に配置された接合部８４５を備えるものとして示されている。横方向パネル列８２１の接合部８４５はまた、第１のパネル列８１１の接合部８３５（図１３）に垂直に配向される。いくつかの例において、接合部８４５は、接合部８３５から回転方向にオフセットされてもよい。いくつかの例では、第２の層８０２に関連付けられた接合部および／またはパネル縁部は、第１の層８０１に関連付けられた接合部および／またはパネル縁部と交差してもよい。
【００５８】
図１５は、第１のパネル配置構成８１０から選択された例示的なパネル組立体８００の第３の層８０３を示す。シートの第３の層８０３は、３列のフルサイズのシート、および／または部分シートを含んでもよい。第２のパネル配置構成８２０から選択された横方向パネル列８４１は、第４の層を追加することを見越して、第３の層８０３の上に配置される工程にあるものとして示されている。
【００５９】
図１６は、第２のパネル配置構成８２０から選択された例示的なパネル組立体８００の第４の層８０４を示す。シートの第４の層８０４は、垂直な配向で第３の層８０３（図１５）の上に重ねられた複数のシートおよび／または部分シートを含むいくつかの横方向パネル列を含んでもよい。
【００６０】
図１７は、第１のパネル配置構成８１０（図１６）から選択された例示的なパネル組立体８００の第５の層８０５を示す。シートの第５の層８０５は、３列のフルサイズのシート、および／または部分シートを含んでもよい。第２のパネル配置構成８２０から選択された横方向パネル列８６１は、第６の層を追加することを見越して、第５の層８０５の上に配置される工程にあるものとして示されている。
【００６１】
図１８は、第２のパネル配置構成８２０（図１７）から選択された横方向パネル列８６１を含むパネル組立体８００の第６の層であって、いくつかの例において最後の層となる層８０６を示す。シートの第６の層８０６は、横方向パネル列８６１と、第２の横方向パネル列８６２とを含むいくつかの横方向パネル列を含んでもよく、垂直配向で第５の層８０５の上に重ねられる。第６の列８０６は、全て横方向および／または長手方向に互いにオフセットされた、複数の接合部を備えてもよい。例えば、第１の接合部８６５は、第２の接合部８８５から、横方向および／または長手方向の両方にオフセットされてもよい。
【００６２】
図１９は、長手方向の配向で配置されたシートの列２０１０、すなわちビレットの例示的な列の斜視図である。いくつかの例において、シートの列２０１０は、第１のパネル配置構成８１０（図１３）の１つ以上の列と同様に構成されてもよい。シートの列２０１０は、複数の全長シート、および／または部分長シートを含んでもよい。いくつかの例において、各完全シートは、幅４フィート、長さ８フィート、および厚さ１と１／８インチであってもよい。シートの列２０１０は、幅２０５０、長さ２０４０、および厚さ２０３０を有してもよい。
【００６３】
いくつかの例において、シートの列２０１０の幅２０５０、および厚さ２０３０は、例えば１つ４フィートで厚さが１インチの、個々の完全シートと同じであってもよい。また、シートの列２０１０の長さ２０４０は、約３枚の完全シートの接合長と等しい、例えば２４フィートであってもよい。寸法がより小さい、またはより大きい完全シートを含めることによって、より多い、またはより少ないシートを互いに接合することによって、部分長シートおよび／または部分幅シートを使用することによって、あるいはこれらを任意に組み合わせることによって、シートの列２０１０の他の長さおよび／または幅を得ることができる。
【００６４】
シートの列２０１０は、シート２０１１、および／またはシート２０１２などの少なくとも１枚の全長シートと、少なくとも１枚の部分長シート２０１３とを含んでもよい。いくつかの例において、シートの列２０１０は、２枚の全長シートと、２枚の部分長シートとを含んでもよく、２枚の部分長シートの接合長は、１枚の全長シートとほぼ等しくなり得る。
【００６５】
シート２０１１およびシート２０１２などの任意の２枚のシートは、拡大図である詳細Ａに示すような接合部２０１５で互いに接合されてもよい。いくつかの例において、接合部２０１５は、図１９に示すようなスカーフ継ぎ、または他の種類の構造接合部を含んでもよい。別の例として、接合部２０１５は、フィンガ継ぎを更に含んでもよく、この場合はシート２０１１の部分は、かみ合わせ継手を形成するように、シート２０１２のオフセット部分と交互配置される。
【００６６】
図２０は、例示的なシートの横方向列２０２０、または横方向の配向で配置された横方向ビレットの斜視図である。いくつかの例において、シートの横方向列２０２０は、第２のパネル配置構成８２０（図１３）の１つ以上の列と同様に構成されてもよい。シートの横方向列２０２０は、複数の全長シート、および／または部分長シートを含んでもよい。いくつかの例において、各完全シートは、幅４フィート、長さ８フィート、および厚さ１と１／８インチであってもよい。シートの横方向列２０２０は、幅２１５０、長さ２１４０、および厚さ２１３０を有してもよい。
【００６７】
いくつかの例において、シートの横方向列２１２０の幅２１５０、および厚さ２１３０は、例えば１枚が幅４フィートで厚さが１インチの、個々の完全シートと同じであってもよい。また、シートの横方向列２０２０の長さ２１４０は、完全シートの約１と１／２の接合長と等しい、例えば１２フィートであってもよい。寸法がより小さい、またはより大きい完全シートを含めることによって、より多い、またはより少ないシートを互いに接合することによって、部分長シートおよび／または部分幅シートを使用することによって、あるいはこれらを任意に組み合わせることによって、シートの横方向列２０２０の他の長さおよび／または幅を得ることができる。
【００６８】
シートの横方向列２０２０は、シート２０２２などの少なくとも１枚の全長シートと、少なくとも１枚の部分長シート２０２１とを含んでもよい。いくつかの例において、シートの横方向列２０２０は、１枚の全長シートと、２枚の部分長シートとを含んでもよく、２枚の部分長シートの接合長は、全長シートの１／２とほぼ等しくなり得る。
【００６９】
シート２０２２、および部分長シート２０２１などの任意の２枚のシートは、拡大図である詳細Ｂに示すような接合部２０２５で互いに接合されてもよい。いくつかの例において、接合部２０２５は、接合部２０１５（図１９）について説明したのと同様のスカーフ継ぎ、またはフィンガ継ぎを含んでもよい。
【００７０】
図２１は、クロスパネル構造で構成された、図１９および図２０のシートの列を含む例示的なパネル組立体２０００の斜視図である。パネル組立体２０００は、列２０１０（図１９）と同様に構成された３層のシートを含んでもよく、これは、横方向列２０２０（図２０）と同様に構成された３層のシートと交互に重ねられて、合計６層になる。
【００７１】
パネル組立体２０００は、幅２２５０、長さ２２４０、および厚さ２２３０を有してもよい。いくつかの例において、パネル組立体２０００の幅２２５０、および長さ２２４０は、例えば幅４フィート、長さ２４フィートの、各層と同じであってもよい。また、パネル組立体２０００の厚さ２２３０は、約６層のシートの結合厚さと等しい、例えば６と３／４インチであってもよい。より寸法が小さい、または大きい完全シートを含めることによって、より多い、またはより少ないシートを互いに接合することによって、部分長シートおよび／または部分幅シートを使用することによって、より多い、またはより少ないシートの層を使用することによって、あるいはこれらを任意に組み合わせることによって、パネル組立体の列の他の長さ、幅、および／または厚さを得ることができる。
【００７２】
パネル組立体２０００の一番上の層は、長さ２２４０に対して横方向の位置に配向された第１のビレット２２１０と、第２のビレット２２２０とを含むものとして示されている。詳細Ｃは、パネル組立体２０００の下層にある他の接合部と関連付けながら、第１のビレット２２１０と、第２のビレット２２２０との間にある接合部２２２５の拡大図を示す。いくつかの例において、接合部２２２５などの、横方向ビレット同士の間にある任意の１つの接合部は、パネル組立体２０００の隣合う層に関連付けられた接合部から、横方向に、長手方向に、かつ／または回転方向にオフセットされてもよい。
【００７３】
また、詳細Ｄは、パネル組立体２０００の追加の層にある接合部と関連付けながら、１つの層内で長手方向に配向されたビレット同士の間にある接合部２２３５の拡大図を示す。いくつかの例において、接合部２２３５などの横方向ビレット同士の間にある任意の１つの接合部は、パネル組立体２０００の隣合う層に関連付けられた接合部から、横方向に、長手方向に、かつ／または回転方向にオフセットされてもよい。
【００７４】
図２２は、図２１の例示的なパネル組立体２０００の上面図であり、例えば、パネル組立体２０００の長さ２２４０に対して長手方向の複数の接合部２２６５と、例えば、パネル組立体２０００の長さ２２４０に対して横方向の接合部２２７５とを示す。長手方向接合部２２６５と、横方向接合部２２７５とは、パネル組立体２０００の様々な層に関連付けられるものと理解されてもよく、破線は、層間などの互いに相対的なオフセット位置を示す。
【００７５】
図２３は、全幅シートの例示的な第１の列２３１０またはビレットの斜視図である。いくつかの例において、シートの列２３１０は、第１のパネル配置構成７１０（図９）、または列２０１０（図９）の１つ以上の列またはビレットと同様に構成されてもよい。シートの列２３１０は、複数の全長および／または部分長シートを含んでもよく、幅２３５０、長さ２３４０、および厚さ２３３０を有してもよい。
【００７６】
いくつかの例において、シートの列２３１０の幅２３５０、および厚さ２３３０は、個々の完全シートと同じであってもよく、シートの列２３１０の長さ２３４０は、約３枚の完全シートの接合長と等しくなり得る。シートの列２３１０は、シート２３１１、および／またはシート２３１２などの少なくとも１枚の全長シートと、少なくとも１枚の部分長シート２３１３とを含んでもよい。いくつかの例において、シートの列２３１０は、２枚の全長シートと、２枚の部分長シートとを含んでもよく、２枚の部分長シートの接合長は、１枚の全長シートとほぼ等しくなり得る。
【００７７】
シート２３１１およびシート２３１２などの任意の２枚のシートは、拡大図である詳細Ｅに示すような接合部２３１５で互いに接合されてもよい。いくつかの例において、接合部２３１５は、フィンガ継ぎを含んでもよい。他の例において、接合部２３１５は、接合部２０１５（図１９）について説明したのと同様に、スカーフ継ぎを含んでもよい。
【００７８】
図２４は、部分幅シートの、例示的な第２の列２４２０またはビレットの斜視図である。いくつかの例において、第２のシートの列２４２０は、第２のパネル配置構成７２０（図９）の１つ以上の列と同様に構成されてもよい。第２のシートの列２４２０は、複数の全長および／または部分長シートを含んでもよい。いくつかの例において、各全長シートは、幅２フィート、長さ８フィート、および厚さ１と１／８インチであってもよい。第２のシートの列２４２０は、幅２４５０、長さ２４４０、および厚さ２４３０を有してもよい。
【００７９】
いくつかの例において、第２のシートの列２４２０の厚さ２４３０は、例えば厚さ１インチの、個々の完全シートと同じであってもよい。また、第２のシートの列２４２０の長さ２４４０は、約３枚の全長シートの接合長と等しい、例えば２４フィートであってもよい。いくつかの例において、第２の列２４２０の幅２４５０は、全幅シートの半分の幅とほぼ等しい、例えば２フィートであってもよい。寸法がより小さい、またはより大きい全長シートを含めることによって、より多い、またはより少ないシートを互いに接合することによって、部分長シートを使用することによって、あるいはこれらを任意に組み合わせることによって、第２のシートの列２４２０の他の長さおよび／または幅を得ることができる。
【００８０】
第２のシートの列２４２０は、シート２４１１またはシート２４１２などの少なくとも１枚の全長シートを含んでもよい。いくつかの例において、第２のシートの列２４２０は、２枚の全長シートと、２枚の部分長シートとを含んでもよく、２枚の部分長シートの接合長は、３枚の全長シートとほぼ等しくなり得る。シート２４１１およびシート２４１２などの任意の２枚のシートは、拡大図である詳細Ｈに示すような接合部２４１５で互いに接合されてもよい。いくつかの例において、接合部２４１５は、フィンガ継ぎ、スカーフ継ぎ、その他の種類の構造接合部を含んでもよい。
【００８１】
図２５は、平行パネル構造で構成された、図２３および図２４のシートの列を含む例示的なパネル組立体２５００の斜視図である。パネル組立体２５００は、第１の列２３１０（図２３）と同様に構成された３層のシートを含んでもよく、これは、第２の列２４２０（図２４）と同様に構成された３層のシートと交互に重ねられて、合計６層になる。
【００８２】
パネル組立体２５００は、幅２５５０、長さ２５４０、および厚さ２５３０を有してもよい。いくつかの例において、パネル組立体２５００の幅２５５０、および長さ２５４０は、例えば幅４フィート、長さ２４フィートの、各層と同じであってもよい。また、パネル組立体２５００の厚さ２５３０は、約６層のシートの結合厚さと等しい、例えば６と３／４インチであってもよい。より寸法が小さい、または大きい完全シートを含めることによって、より多い、またはより少ないシートを互いに接合することによって、部分長シートおよび／または部分幅シートを使用することによって、より多い、またはより少ないシートの層を使用することによって、あるいはこれらを任意に組み合わせることによって、パネル組立体の列の他の長さ、幅、および／または厚さを得ることができる。
【００８３】
パネル組立体２５００の一番上の層は、長さ２５４０に対して長手方向に配向された第１のビレット２５１０と、第２のビレット２５２０とを含むものとして示されている。詳細Ｋは、パネル組立体２５００の下層にある他の接合部と関連付けながら、第１のビレット２５１０と第２のビレット２５２０との間にある接合部２５３５の拡大図を示す。いくつかの例において、接合部２５３５などのビレット同士の間にある任意の１つの接合部は、パネル組立体２５００の隣合う層に関連付けられた接合部から、横方向に、長手方向に、かつ／または回転方向にオフセットされてもよい。
【００８４】
また、詳細Ｊは、パネル組立体２５００の様々な層にある接合部同士の関係を示すために、ビレットの隣合うシート同士の間に形成された接合部２５２５の拡大図を示す。いくつかの例において、接合部２２３５などの、ビレットのシート同士の間にある任意の１つの接合部は、パネル組立体２５００の他の層に配置されたビレットに関連付けられた、隣合うシート同士の間にある接合部から、横方向に、かつ／または長手方向にオフセットされてもよい。
【００８５】
図２６は、図２５の例示的なパネル組立体２５００の上面図であり、第２のシートの列２４２０（図２４）などの部分幅ビレットに関連付けられた複数の接合部２５６５、および第１のシートの列２３１０（図２３）などの全幅ビレットに関連付けられた複数の接合部２５７５を示す。接合部２５６５、２５７５は、パネル組立体２５００の様々な層に関連付けられるものと理解されるとよく、破線は、層間などの互いに相対的なオフセット位置を示す。
【００８６】
（例えば、ＯＳＢウェブを含む、上部および下部がＬＶＬ、またはＭＳＲ材のフランジの）構造用床用ジョイストについての米国防火規則（Ｎａｔｉｏｎａｌ  Ｆｉｒｅ  Ｃｏｄｅ、ＮＦＣ）の規定では、ＯＳＢウェブは、乾式壁天井に囲まれていなければならないことが規定される。また、防火規則の規定により、ＯＳＢウェブが燃焼して、ジョイストが構造健全性を失う可能性を軽減するために、構造用木質材料に付加的な防火システム（スプリンクラー、ＯＳＢに対する化学的火炎抑制剤、または鉱物ウールで固める）を組み込むことが求められる場合がある。このような要件は全て、加工された、または構造用の木質ジョイストを製造かつ使用する際の、追加コストの発生に関わる場合がある。
【００８７】
合板、および／またはＬＶＬを含む構造用木質材料は、各層に恒久的に接着することができ、高温によって分解しない触媒添加樹脂を含んでもよい。ＣＬＴ製品に比べて層が比較的薄いことに一部基づいて、構造用木質パネルはＣＬＴ製品に比べて、組立体の構造健全性が損なわれる前に燃え尽きる必要がある触媒添加樹脂の層をはるかに多く有する場合がある。また、ＬＶＬパネルの合板は、ラメラを使用する必要がなく、そうでない場合は、ＣＬＴ製品から分離され得る。
【００８８】
図２７は、拡大図である詳細Ｒに示す第１のビレット２７１０および第２のビレット２７２０の２層のビレットを含む例示的なジョイスト組立体２７００の斜視図である。ジョイスト組立体２７００は、長さ２７４０、幅２７５０、および厚さ２７３０を有する、Ｉ型ジョイストとして構成されてもよい。
【００８９】
ビレット２７１０、２７２０の１枚または両方は、複数のシート、および／または部分長シートを含んでもよい。例えば、ビレット２７１０は、拡大図である詳細Ｔに示すように、接合部２７１５で互いに接合された第１のシート２７１１と、第２のシート２７１２とを含んでもよい。ビレット２７１０に関連付けられる接合部２７１５は、ビレット２７２０のシートに隣接して配置されてもよい。いくつかの例において、接合部２７１５は、ビレット２７２０の隣接するシートの、長手方向の中間点に配置されてもよい。
【００９０】
いくつかの例において、２つの個々のビレットが、構造接合部をオフセットして互いに冷間プレスされてもよく、その結果、隣合う複数のソリッドパネルが１つの接合部の弱点を緩和することによって、接合部が強化される。例えば、２枚の３／４インチのビレットが、互いに冷間プレスされてもよく、その結果できたパネルを１１と７／８インチなどの適切な製品幅に縦挽きして、厚さ１と１／２インチ、幅１１と７／８インチ、および所望の任意の長さの、完成品のＩ型ジョイストを作成してもよい。
【００９１】
いくつかの例において、ジョイスト組立体２７００は、およそ幅１フィート、長さ１２フィート、および厚さ１と１／２インチであってもよい。寸法がより小さい、またはより大きい全長シートを含めることによって、より多い、またはより少ないシートを互いに接合することによって、部分長シートを使用することによって、あるいはこれらを任意に組み合わせることによって、他の長さ、幅、および／または厚さを得ることができる。
【００９２】
ビレット２７１０、２７２０を接着するのに使用される接着剤または樹脂は、火炎抑制特性を提供し得る。いくつかの例において、ビレット２７１０、２７２０の１枚または両方は、合板シートを含んでもよい。したがって、ジョイストは、十分な火炎抑制特性を有する重ねられた合板のビレットで構築されてもよく、これにより、従来の鋼製ジョイストに必要とされ得る以上に、防火システムを追加する必要性が排除される。しかしながら、木製ジョイストは、より安価で、かつ鋼製ジョイストの何分の１かの重量で構築することができる。
【００９３】
図２８は、拡大図である詳細Ａ−Ａに示す、第１のビレット２８１０および第２のビレット２８２０の２層のビレットを含む例示的なリムボード組立体２８００の斜視図である。リムボード組立体２８００は、長さ２８４０、幅２８５０、および厚さ２８３０を有してもよい。
【００９４】
リムボード組立体２８００は、所望の厚さ、幅、および長さに応じて、図２７の例示的なジョイスト２７００と同様の方法で製造されてもよい。いくつかの例において、リムボード組立体２８００は、およそ幅１フィートと７／８インチ、長さ１２フィート、および厚さ１と１／８インチであってもよい。寸法がより小さい、またはより大きい全長シートを含めることによって、より多い、またはより少ないシートを互いに接合することによって、部分長シートを使用することによって、あるいはこれらを任意に組み合わせることによって、他の長さ、幅、および／または厚さを得ることができる。
【００９５】
いくつかの例において、リムボードは、ジョイスト２７００について前述したのと同様に、２つ以上のビレットの層で形成されたパネル組立体を、適切な製品幅に縦挽きすることによって製造されてもよい。また、リムボード組立体２８００は、構造接合部をオフセットして互いに接合されたシートを含んでもよい。例えば、第２のビレット２８２０に関連付けられた接合部２８２５は、拡大図である詳細Ａ―Ａに示すように、第１のビレット２８１０のシートに隣接して配置されてもよい。同様に、第１のビレット２８１０のシート２８１１と２８１２との間に配置された接合部２８１５は、拡大図である詳細Ａ―Ｂに示すように、第２のビレット２８２０のシートに隣接して配置されてもよい。
【００９６】
リムボードを作成するのに使用される材料は、少なくとも部分的に、所望の長さに形成できる性能に基づいて選択され得る。ＯＳＢは、リムボードに使用され得る、例示的な材料である。合板、その他の種類の木質製品の５／８インチの層を接合し、２つの層の構造接合部をオフセットすることによって、構造用リムボード組立体は、任意の所望の長さに製造され得る。
【００９７】
図２９は、構造接合部を備える積層木質製品を製造する、例示的な工程２９００を示す。操作２９０５において、単板または合板のシート素材は、真空送り装置、または下送り装置などの供給システムに受け入れられて配置され得る。
【００９８】
操作２９１０において、供給システムは、合板シート素材を個別のシートまたはパネルに分けるように構成され得る。
【００９９】
操作２９１５において、個別のシートは、両端ほぞ取り機などのほぞ取りシステムに送られる、あるいは搬送され得る。ほぞ取りシステムは、工程２９００の１つ以上の操作を行うように構成されてもよい。例えば、操作２９２０において、ほぞ取りシステムの第１の輪郭形成ヘッドが、シートの１つの縁部をならし、接合部の粗い部分を除去するように構成され得る。
【０１００】
操作２９２５において、ほぞ取りシステムの第２の輪郭形成ヘッドが、シートの縁部で「微細な（ｆｉｎｅ）」構造接合部の切断を行うように構成され得る。
【０１０１】
操作２９３０において、ほぞ取りシステムの第３の輪郭形成ヘッドが、シートの縁部で「最終的な」構造接合部の切断を行うように構成され得る。いくつかの例において、オス接合部が１枚のパネルに作成され、フィンガ継ぎ構造などで第１のシートに接合される、第２のシートにメス接合部が作成されてもよい。他の例において、接合部の１つ以上が、スカーフ継ぎ、その他の種類の構造接合部を含んでもよい。
【０１０２】
ほぞ取りの操作２９２０、２９２５、および／または２９３０の１つ以上の後に、操作２９３５において、構造接合部に接着剤が塗布され得る。
【０１０３】
操作２９４０において、接合されるシートは、ほぞ取りシステムから出た直後に接着剤を塗布するのではなく、集合押付けさせ（ｃｒｏｗｄｉｎｇ）および高周波（ＲＦ）乾燥ラインに移送して、そこで接着剤または樹脂が接合部に塗布されてもよい。樹脂は、ポリウレタン、メラミン、レゾルシノールその他の種類の接着剤、またはこれらの任意の組み合わせを含んでもよい。
【０１０４】
いくつかの例において、ＲＦラインは、工程２９００の１つ以上の操作を行うように構成されてもよい。例えば、操作２９４５において、ＲＦラインは、ＲＦ工程中に、接着剤が固まるまで、パネル接合部を互いに集合させて押し付けるように構成されてもよい。
【０１０５】
操作２９５０において、ＲＦラインは、接合部を圧力下に置くように構成され得る。操作２９５５において、ＲＦラインの乾燥システムは、接合部の接着剤を硬化させるように構成され得る。
【０１０６】
操作２９６０において、ＲＦラインを出た、連続して接合されたシートまたはビレットは、フライングソーに搬送され得る。操作２９６５において、不要な端部は、フライングソーによってビレットから切り取られ得る。操作２９７０において、接合されたパネルは、フライングソーによって長さを調整され得る。
【０１０７】
操作２９７５において、長さを調整されたビレットは、一貫した厚さ矯正、および表面均一性を確立するために、研磨機に搬送される、あるいは移送され得る。
【０１０８】
操作２９８０において、研磨され矯正されたビレットは、ビレットを適切な幅に切断するために、「縦挽き鋸」に移送され得る。
【０１０９】
操作２９８５において、長さを調整され、幅を調整され、矯正／研磨されたビレットは、保管領域および／または在庫領域に搬送、あるいは移送され得る。
【０１１０】
操作２９９０において、ビレットは、最終的に１人以上の顧客に送るために、在庫領域に保管され、あるいはビレットは、本書で更に詳細に説明されるように、大型フォーマットパネル組立体の製造に使用するために、内部的に移送され得る。
【０１１１】
いくつかの例示的な工程において、シートは、ビレットを製造するために長手方向に縦挽きされてもよい。長さを調整されたビレットは、長さが可変のユニットとして、真空送り装置に移送されてもよく、真空送り装置は、木材ピース（例えば、シートまたはビレット）を分離し、かつ／または移送チェーンに送るように構成されてもよい。また、木材ピースは、幅が全幅シートの間隔か、または部分幅シートの間隔かどうかに応じて縦挽きされてもよい。木材ピースが、４フィートの倍数で縦挽きされ得る例では、１片が片側に離されてもよい。木材ピースが、２フィートなど部分幅の倍数で縦挽きされ得る例では、端切れがシステムから取り出されてもよい。
【０１１２】
木材ピースは、サイドシフトキャメルバックチェーン（ｓｉｄｅ  ｓｈｉｆｔ  ｃａｍｅｌｂａｃｋ  ｃｈａｉｎ）などの片側に蓄積されてもよく、真空送りは、ビレットを作成するために、複数のシートを送るように構成されてもよい。最終的なパネル組立体構造の層の数に応じて、ビレットは、プレスに送られてもよい。
【０１１３】
他の例示的な工程において、ビレットは、長さを調整されたシートでレイアップされてもよい。例えば、複数の長手方向ユニットが１つの送り機に配置されてもよく、幅方向ユニットは、別の送り機に配置されてもよい。大きさの範囲がプレスの幅までとされ得る木材ピースは、４フィートの倍数などの１層のビレットを構築するために、保管チェーンに送られてもよい。ビレットの長さは加算されるわうにしてもよい。また、真空ホイストは、ビレットに層を送るように構成されてもよい。
【０１１４】
シートの長さが固定されてもよく、在庫が必要とされない更に他の例において、接合されたパネルは長さを調整され、長手方向の木材ピースは、木材ピースを所望の幅に切断するように構成され得る、リップソーに移送されてもよい。生じる可能性がある端切れは、工程から外されるか、またはビレットの別のプライ用に段階付けされてもよい。幅を調整した木材ピースは、次に、ビレットが構築される場所に進んでもよい。
【０１１５】
長手方向の木材ピースは、長手方向のビレット用に集められてもよい。縦挽きされたビレットは、層（例えば、２枚の全幅ビレットと、２枚の部分幅ビレットとを含む、幅１２フィートの層）の両側になるように分割されてもよく、あるいは「分割」シートのうちの１枚は、除外されてもよい（例えば、２枚の全幅ビレットと、１枚の部分幅ビレットとを含む、壁用の幅１０フィートの層の場合）。クロスバンディングの木材ピースは、９０度回転されて、別のチェーンに集められてもよい。いくつかの例において、これは、下方の層が接着されている間に行われる。
【０１１６】
図３０は、パネル組立体を製造する例示的な工程３０００を示す。操作３００５において、連続した長さのパネルセクションを作成するために、何枚かのシートが、フィンガ継ぎ、またはスカーフ継ぎされ得る。いくつかの例において、第１のパネルセクションが、長手方向パネルセクションとして調整され、第２のパネルセクションが、横方向パネルセクションとして調整されてもよい。また、木目を有する合板シートについては、パネルセクションの１つ以上が、縦目用途、および／または交差木目用途用に調整されてもよい。また、以降の操作で参照される１枚以上のビレットは、図２９に示す工程２９００の１つ以上の操作に従って製造されてもよい。
【０１１７】
操作３０１０において、第１の組のビレットが、マットまたは層にされ得る。層は、長手方向に配向されたビレットを含む用途用に、並べて配置された３枚以上のビレットを含んでもよい。例えば、層は、幅１２フィート、長さ４０フィートであってもよい。
【０１１８】
操作３０２０において、第２の組のビレットが、第２のマット、または第２の層にされ得る。層は、長手方向に配向されたビレットを含む用途用に、並べて配置された３枚以上のビレットを含んでもよい。例えば、第２の層もまた、幅１２フィート、長さ４０フィートであってもよい。交差木目用途で構成された、例示的なパネル組立体において、第２の層は、第１の層の長手方向ビレットに垂直に配向された、いくつかの横方向ビレットを含んでもよい。
【０１１９】
操作３０３０において、第１の層と同様に構成された第３の層は、３層よりも多い層を含むパネルの、第２の層の上に重ねられてもよい。
【０１２０】
操作３０４０において、前述の操作の１つ以上が、パネル組立体が所望の厚さ、および／または所望の構造的構成になるまで繰り返されてもよい。
【０１２１】
操作３０５０において、ＡＮＳＩ認定された冷間プレス接着剤などの接着剤が、パネル組立体内の各層に塗布されてもよい。例えば壁に使用される例示的なパネル組立体において、パネル組立体は、はじめに構造的な理由、および／または外見的理由で、交差木目方向で構築されてもよい。
【０１２２】
操作３０６０において、完成品の床および／または壁パネルとして製造されたパネル組立体は、ＣＡＤ操作によるマスティンバールータ（ｍａｓｓ  ｔｉｍｂｅｒ  ｒｏｕｔｅｒ）を通過し得る。ルータは、パネル組立体を、窓、戸口、配線器具、および接続継手などの、何種類かの属性に切断し得る。
【０１２３】
操作３０７０において、完成品のパネル組立体は、予め製造された構造物として、建物に取り付けられ得る。
【０１２４】
基本的な商品生産物として合板が使用され得る、例示的なパネル組立体では、いくつかの種類の接合作業、および木材ボードを処理しているときに生じ得る、大きい節その他の欠点の切り取りに関わる廃棄物の量を減少させることができる。木材パネルで生じるように、節が全幅または全厚さに伸びるのとは対照的に、合板パネルに単板を使用してもよい例では、パネル内の欠点の大きさは節の大きさに限定され得る。
【０１２５】
合板パネルのサイズが標準化されていることは、木材で製造されるパネルに比べて、材木をより少なくして、製造工程を容易にするのに役立つ。また、合板パネル全体で、木の欠点の影響を削減、または分散させることで、木材製の直交集成板パネルに比べて、パネル組立体の構築に必要な木質繊維が少なくてもよい。
【０１２６】
パネル組立体内の単板ラインの数は、ほぼ無制限のパネルレイアップのバリエーションで構成され得る。いくつかの例では、木の密度特性に基づいて特定の単板が選択されてもよく、異なる用途、またはコスト上の制約のために、別の単板樹種が選択されてもよい。例えば、いくつかの用途に、（比較的低コストの単板とみなされ得る）アメリカツガが使用されてもよく、他の用途に、（比較的高コストの単板とみなされ得る）ベイマツが使用されてもよい。また、可視の単板層の表面等級は、例えば、節のない可視層を提供するために、表面がＡ級、裏面がＣ級の外装（ＡＣＸ）パネルを用いて、各パネル組立体および／または用途ごとに個別に選択されてもよい。
【０１２７】
いくつかの例において、基本的な商品パネルは、９プライの単板パネルを含んでもよい。パネルは、１／８インチのベイマツを含んでもよいが、地域による入手可能性、および／またはパネルの特定の望ましい特性に応じて、他の樹種を使用してもよい。表面がＣ級、裏面がＤ級の外装（ＣＤＸ）パネル内で、または平行単板製パネルで使用される単板は、特に密度勾配特性で選択されることは必ずしも必要としないが、構造健全性をより高めるために、特殊化した単板を使用することは可能である。
【０１２８】
壁パネルの垂直負荷により、ＣＤＸパネルは、合板パネルの主な接着ライン方向に垂直な層同士を接着することなく、互いにレイアップされ冷間プレスされてもよい。壁パネルの構築に使用されるプライの数は、所望の構造要件、または用途の寸法要件に基づいていてもよい。例示的なパネル組立体は、全体が、主に平行な方向に伸びる木目を有する、４フィート×８、かつ厚さ１／８インチの単板で構築されてもよく、パネル組立体は、寸法を安定させるために、１枚または２枚のクロスバンディングの横方向単板を更に含んでもよい。
【０１２９】
単板積層材パネルと同様に、床パネル用に製造されたものなどの単板パネルは、垂直な繊維に適用されると、構造強度が追加され得る。より強い床パネルを作成するために、合板パネルが、パネルソーを通して、構造用途に必要な幅に「縦挽き」されてもよい。縦挽きされた木材ピースは、直立させて、縁を互いに接着して、幅４フィート、長さ８フィートのパネルなどのパネルにされてもよい。パネルの厚さは、合板シートの縦挽きされた幅に基づいて決定されてもよい。これらのパネルは、その後、ＬＶＬ製パネル、またはＣＤＸ製合板パネルのいずれかの間で、マスティンバーパネル内のコアとして使用されてもよい。いくつかの例において、接着ラインは、パネル平面に垂直に配置されてもよく、合板パネルの交互になっている木目方向は、このコアライン内の交互の木目方向の作成に使用されてもよい。
【０１３０】
いくつかの例示的な種類の単板は、厚さ１／１０インチで容易に作成され得る。木材に見られる大きい節に比べて、単板内の欠点、および／または材料の変化は、シート全体に広がり得る。また、パネルは、１平方インチあたり１７５ポンドを超える圧力に適応するように設計され得る。
【０１３１】
木材製品に比べて、単板で構築される構造用パネルは、反りまたは曲がりを起こすことが著しく少なく、パネル厚さ、およびレイアップ構成に、より設計柔軟性を持たせることができる。いくつかの例において、クロスバンディング、および／または交差木目の構造上の特徴は、パネル構築工程を介して達成または組み込まれ得る。
【０１３２】
前述したように、所望の仕上がりパネル寸法は、顧客仕様、または完成品の所望の特徴に従って可変とされてもよい。いくつかの例において、パネル組立体は、一般的な寸法である、幅１２フィート、長さ４０フィート、および所望の厚さの、マスティンバーパネルとして構成されてもよい。いくつかの例において、パネル組立体は、例えば、最大厚さ２０インチ、最小厚さ４と１／２インチの、直交集成板パネルの従来の厚さに従ってもよい。
【０１３３】
更なる構造仕様詳細を有する単板積層材を含む、例示的なパネル組立体を以下の表に示す。
【表１】
2019500232.tif 000003
2019500232.tif 000004
【０１３４】
例示的な組立体および方法について、説明および図示してきたことから、本書の開示の原理から逸脱することなく、配置および詳細の変更があってもよいことは、明らかなはずである。したがって、与えられる保護は本開示に限定されず、以下の特許請求の範囲の精神、および範囲に入る、あらゆる変更および変形に及ぶことが理解されよう。
【図１】
2019500232.tif 000005
【図２】
2019500232.tif 000006
【図３】
2019500232.tif 000007
【図４】
2019500232.tif 000008
【図５Ａ】
2019500232.tif 000009
【図５Ｂ】
2019500232.tif 000010
【図６】
2019500232.tif 000011
【図７】
2019500232.tif 000012
【図８】
2019500232.tif 000013
【図９】
2019500232.tif 000014
【図１０】
2019500232.tif 000015
【図１１】
2019500232.tif 000016
【図１２】
2019500232.tif 000017
【図１３】
2019500232.tif 000018
【図１４】
2019500232.tif 000019
【図１５】
2019500232.tif 000020
【図１６】
2019500232.tif 000021
【図１７】
2019500232.tif 000022
【図１８】
2019500232.tif 000023
【図１９】
2019500232.tif 000024
【図２０】
2019500232.tif 000025
【図２１】
2019500232.tif 000026
【図２２】
2019500232.tif 000027
【図２３】
2019500232.tif 000028
【図２４】
2019500232.tif 000029
【図２５】
2019500232.tif 000030
【図２６】
2019500232.tif 000031
【図２７】
2019500232.tif 000032
【図２８】
2019500232.tif 000033
【図２９】
2019500232.tif 000034
【図３０】
2019500232.tif 000035
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
第１の組のビレットを含む第１の層であって、前記第１の組のビレットがこれらのビレットの長手方向縁部に沿って互いに当接し、前記ビレットの各々が、該ビレット内で隣合うシート同士を接合する接合部を含み、前記接合部が、前記長手方向縁部に垂直に配向され、前記第１の層における前記シートの各々が複数の単板プライを含み、少なくとも１枚のプライが第１の方向に配向された木目を含む、第１の層と、
前記第１の層の上に重ねられた、複数のシートからなる第２の組のビレットを含む第２の層であって、前記第２の組のビレットの各々が、隣合う前記シート同士を接合する別の接合部を含み、前記別の接合部が、前記第２の組のビレットの長手方向縁部に垂直に配向され、前記第２の層における前記別の接合部が、前記第１の層の前記接合部からオフセットされ、前記第２の層における前記シートの各々が複数の単板プライを含み、少なくとも１枚のプライが、前記第１の方向に垂直な第２の方向に配向された木目を含む、第２の層と、
前記第２の層の上に重ねられた、複数のシートからなる第３の組のビレットを含む第３の層であって、前記シートが、複数の単板プライを含み、少なくとも１枚のプライが前記第１の方向に配向された木目を含み、前記第３の組のビレットの各々が、合う前記シート同士を接合する更に別の接合部を含み、前記第３の層における前記更に別の接合部が、前記第２の層における前記別の接合部と、前記第１の層における前記接合部との両方からオフセットされている、第３の層と
を備える、構造用木質パネル組立体であって、
前記第１の組のビレットと、前記第２の組のビレットと、前記第３の組のビレットとが全て前記構造用木質パネル組立体の長さに沿って長手方向に配向されている、構造用木質パネル組立体。
【請求項２】
前記第１の層における前記ビレットの各々が、該ビレット内の３枚以上の隣合うシート同士を結接合する２つ以上の接合部を含み、前記第２の層における前記ビレットの各々が２つ以上の接合部を含み、前記第３の層における前記ビレットの各々もまた２つ以上の接合部を含み、前記第１の層、前記第２の層および前記第３の層の全ての前記接合部が互いに長手方向にオフセットされている、請求項１に記載の構造用木質パネル組立体。
【請求項３】
前記第１の組のビレットが、全幅シートからなる複数のビレットの列を備え、前記第２の組のビレットが、部分幅シートからなる少なくとも１つのビレットを備え、前記第２の組のビレットの長手方向縁部が、前記部分幅シートの幅に従って、前記第１の組のビレットの長手方向縁部から横方向にオフセットされている、請求項１に記載の構造用木質パネル組立体。
【請求項４】
前記部分幅シートの幅が前記全幅シートの約半分であり、前記第２の組のビレットが２枚の部分幅シートを含む、請求項３に記載の構造用木質パネル組立体。
【請求項５】
前記第１の層と、前記第２の層と、前記第３の層とが、同一の幅および同一の長さを有し、前記木質パネル組立体の厚さが、前記第１の層と、前記第２の層と、前記第３の層とを組み合わせた厚さを有する、前記木質パネル組立体の製造に使用される層の数に基づいている、請求項１に記載の構造用木質パネル組立体。
【請求項６】
前記第２の層における前記シートの各々が、前記第１の方向および前記第２の方向の両方に垂直な第３の方向において、前記第２の層に直交配向された木目を備える、少なくとも１枚のプライを含む、請求項１に記載の構造用木質パネル組立体。
【請求項７】
第１の接合部で互いに接合された２枚以上のシートを含む第１のビレットを形成するステップであって、前記第１のビレットにおける前記シートの各々は、少なくとも１枚のプライが第１の方向に配向された木目を含む複数の単板プライを含む、ステップと、
第２の接合部で互いに接合された２枚以上のシートを含む第２のビレットを形成するステップであって、前記第２のビレットにおける前記シートの各々は、少なくとも１枚のプライが第１の方向に配向された木目を含む複数の単板プライを含む、ステップと、
前記第２のビレットを前記第１のビレットの隣に、これらのビレットの各々の長手方向縁部に沿って配置して木質パネル組立体の第１の層を形成するステップであって、前記長手方向縁部が、前記第１の接合部および前記第２の接合部の両方に垂直であり、前記第１の接合部が、前記第１の層の形成後に、前記第２の接合部から長手方向にオフセットされる、ステップと、
第３の接合部で互いに接合された２枚以上のシートを含む第３のビレットを形成するステップであって、前記第３のビレットにおける前記シートの各々は、少なくとも１枚のプライが前記第１の方向に垂直な第２の方向に配向された木目を含む複数の単板プライを含む、ステップと、
第４の接合部で互いに接合された２枚以上のシートを含む第４のビレットを形成するステップであって、前記第４のビレットにおける前記シートの各々は、少なくとも１枚のプライが第２の方向に配向された木目を含む複数の単板プライを含む、ステップと、
前記第４のビレットを前記第３のビレットの隣に、これらのビレットの各々の長手方向縁部に沿って配置して木質パネル組立体の第２の層を形成するステップであって、前記第４の接合部が、前記第２の層の形成後に、前記第３の接合部から長手方向にオフセットされる、ステップと、
前記第２の層を接着剤で前記第１の層に接着するステップと
を含む、木質パネル組立体を製造する方法であって、
製造された前記木質パネル組立体における前記ビレットが全て前記木質パネル組立体の長さに沿って長手方向に配向されている、方法。
【請求項８】
第５の接合部で互いに接合された２枚以上のシートを含む第５のビレットを形成するステップであって、前記第５のビレットにおける前記シートの各々は、少なくとも１枚のプライが第１の方向に配向された木目を含む複数の単板プライを含む、ステップと、
第６の接合部で互いに接合された２枚以上のシートを含む第６のビレットを形成するステップであって、前記第６のビレットにおける前記シートの各々は、少なくとも１枚のプライが第１の方向に配向された木目を含む複数の単板プライを含む、ステップと、
前記第６のビレットを前記第５のビレットの隣に、これらのビレットの各々の長手方向縁部に沿って配置して木質パネル組立体の第３の層を形成するステップであって、前記第６の接合部が、前記第３の層の形成後に、前記第５の接合部から長手方向にオフセットされる、ステップと、
前記第３の層を接着剤で前記第２の層に接着するステップと
を更に含む、請求項７に記載の方法。
【請求項９】
前記第５の接合部および前記第６の接合部が、前記第１の接合部、前記第２の接合部、前記第３の接合部および前記第４の接合部のそれぞれから、更に長手方向にオフセットされる、請求項８に記載の方法。
【請求項１０】
前記第３のビレットおよび前記第４のビレットの前記長手方向縁部が、前記第１のビレットおよび前記第２のビレットの前記長手方向縁部と平行である、請求項９に記載の方法。
【請求項１１】
前記第１の層における前記ビレットの各々が、３枚以上の隣合うシート同士を接合する２つ以上の接合部を含み、前記第２の層における前記ビレットの各々が、２つ以上の接合部を含み、前記第３の層における前記ビレットの各々もまた、２つ以上の接合部を含み、前記第１の層、前記第２の層および前記第３の層の全ての前記接合部が互いに長手方向にオフセットされる、請求項９に記載の方法。
【請求項１２】
前記第１の層の少なくとも１枚の前記ビレットが、全幅シートからなり、前記第２の層の少なくとも１枚の前記ビレットが、部分幅シートからなり、前記第３のビレットおよび前記第４のビレットの前記長手方向縁部が、前記部分幅シートの幅に従って、前記第１のビレットおよび前記第２のビレットの長手方向縁部から横方向にオフセットされる、請求項９に記載の方法。
【請求項１３】
前記部分幅シートの前記幅が、全幅シートの約半分である、請求項１２に記載の方法。
【請求項１４】
前記第１の層と、前記第２の層とが、同一の幅および同一の長さを有し、前記第１の層および前記第２の層に別の層を加えることによって、前記木質パネル組立体の厚さが増加する、請求項７に記載の方法。
【国際調査報告】
2019500232.tif 000036
2019500232.tif 000037